(57)【要約】      （修正有）【課題】まつ毛エクステンション用の人工まつ毛をまつ毛に固定させるために用いられる収縮チューブを、効率良く収縮させる手法を提供する。【解決手段】まつ毛の長さを延長させるまつ毛エクステンションに用いられる人工まつ毛に所定のエネルギーを加えて収縮させるピンセット装置１において、挟持部１４は、人工まつ毛を１本毎に挟持可能とする。制御部２３は、挟持部１４のうち、少なくとも人工まつ毛に接触する部位に所定のエネルギーを加える制御を実行する。【選択図】図１
2020036692.tif 000002
【特許請求の範囲】
【請求項１】
まつ毛の長さを延長させるまつ毛エクステンションに用いられる人工まつ毛に所定のエネルギーを加えて収縮させるピンセット装置であって、
前記人工まつ毛を１本毎に挟持可能とする挟持手段と、
前記挟持手段のうち、少なくとも前記人工まつ毛に接触する部位に前記所定のエネルギーを加える制御を実行する制御手段と、
を備えるピンセット装置。
【請求項２】
前記所定のエネルギーは、熱エネルギーであり、
前記制御手段は、少なくとも前記人工まつ毛に接触する部分を加熱する制御を実行する、
請求項１に記載のピンセット装置。
【請求項３】
前記制御手段は、さらに、少なくとも前記人工まつ毛に接触する部分を冷却する制御を実行する、
請求項２に記載のピンセット装置。
【請求項４】
前記挟持手段の温度変化により生じるエネルギーの伝導を遮断する遮断手段をさらに備える、
請求項２又は３のうちいずれか１項に記載のピンセット装置。
【発明の詳細な説明】
【技術分野】
【０００１】
本発明は、ピンセット装置に関する。
【背景技術】
【０００２】
まつ毛エクステンションに関する技術は従来から提案されている。まつ毛エクステンションとは、まつ毛を長くあるいは濃く見せるようにするための技術であり、基本的には、人のまつ毛１本１本に対し、化学繊維等を用いて製造された人工のまつ毛を、接着剤等を用いて接着するというものである。
ただし、人のまつ毛は、太さが０．１ｍｍ（ミリメートル）〜０．１５ｍｍ（ミリメートル）程度であり非常に細いため、人工のまつ毛を接着するための接着面積を確保することが難しい。
【０００３】
この問題を解決するために、人のまつ毛に対する接着面積を広げることが考えられる。しかしながら、人工まつ毛の装着に接着剤を使用すると、人工まつ毛を装着する者（以下「装着者」と呼ぶ）の皮膚にトラブルが生じることがあるだけではなく、接着剤特有の臭いが、装着者や施術者に不快感を与えることもある。さらに、人のまつ毛の接着面が汚れていたり油分が付着していたりすると、接着させた人工まつ毛がすぐに外れてしまうこともある。
【０００４】
このため、接着剤を使用することなく、熱収縮性の環状部材を用いて、人のまつ毛と人工まつ毛とを連結する技術も提案されている（特許文献１）。
しかしながら、特許文献１に記載された技術では、人のまつ毛と人工まつ毛との連結部分が２重構造になってしまうだけではなく、その部分を環状部材が外側から束ねるように配置されるため、結果的に連結部分が３重構造になってしまう。通常、人の上まぶたには、まつ毛が１００本〜１５０本程度密生しているため、人のまつ毛と人工まつ毛との連結部分が３重構造になると、連結部分にのみボリュームを有する不自然な見栄えになってしまう。
【０００５】
そこで、本出願人は、皮膚のトラブルを生じさせたり、臭いによる不快感を与えたりする接着剤を使用することなく、かつ、装着時に見栄えの良いまつ毛エクステンション用人工まつ毛についての発明を既に出願している（特許文献２）。特許文献２に記載された人工まつ毛は、中空部を有し、その中空部に１本のまつ毛の一部又は全部を挿入させた状態で、径の方向に収縮し固定させる収縮部を備える。この収縮部は、熱エネルギー等の所定のエネルギーを加えることにより収縮する部材で構成させることができる。このような構成により、接着剤を使用することなく、中空部にまつ毛の一部又は全部を挿入して加熱するだけで装着時に見栄えの良いまつ毛エクステンション用人工まつ毛を提供することができる。
【先行技術文献】
【特許文献】
【０００６】
【特許文献１】特許４９８１９８３号公報
【特許文献２】特願２０１８−０５０６９５号明細書及び図面
【発明の概要】
【発明が解決しようとする課題】
【０００７】
特許文献２には、収縮部の一例である熱収縮チューブを収縮させる具体的手法として、先端部分が加熱可能な専用のピンセットを用いて熱収縮チューブを収縮させることが記載されている。先端部分を加熱することができる専用のピンセットを用いれば、径が細い人工まつ毛であっても、その１本１本を効率良く加熱して収縮させることができる。
しかしながら、特許文献２において、先端部分を加熱することができる専用のピンセットの具体的な内容については、先端部分の温度を９０℃〜１２０℃程度に加熱することができること以外は特に明記されていない。
このため、熱エネルギー等、所定のエネルギーが加えられると収縮してまつ毛に固定される種々の人工まつ毛に対し、効率良く所定のエネルギーを加えて収縮させることができる新たな手法の開発が望まれていた。
【０００８】
本発明は、このような状況に鑑みてなされたものであり、まつ毛エクステンション用の人工まつ毛をまつ毛に固定させるために用いられる収縮チューブを、効率良く収縮させる手法を提供することを目的とする。
【課題を解決するための手段】
【０００９】
上記目的を達成するため、本発明に係るピンセット装置は、
まつ毛の長さを延長させるまつ毛エクステンションに用いられる人工まつ毛に所定のエネルギーを加えて収縮させるピンセット装置であって、
前記人工まつ毛を１本毎に挟持可能とする挟持手段と、
前記挟持手段のうち、少なくとも前記人工まつ毛に接触する部位に前記所定のエネルギーを加える制御を実行する制御手段と、
を備える。
【００１０】
この発明によれば、まつ毛エクステンション用の人工まつ毛をまつ毛に固定させるために用いられる収縮チューブを効率良く収縮させることができる。
【００１１】
また、前記所定のエネルギーは、熱エネルギーであり、
前記制御手段は、少なくとも前記人工まつ毛に接触する部分を加熱する制御を実行することができる。
この発明によれば、まつ毛エクステンション用の人工まつ毛をまつ毛に固定させるために用いられる熱収縮チューブを効率良く加熱して収縮させることができる。
【００１２】
前記制御手段は、さらに、少なくとも前記人工まつ毛に接触する部分を冷却する制御を実行することができる。
この発明によれば、加熱されて収縮した状態にある人工まつ毛を直ちに冷却して固化させることができるので、効率良く人工まつ毛をまつ毛に固定させることができる。
【００１３】
また、前記挟持手段の温度変化により生じるエネルギーの伝導を遮断する遮断手段をさらに備えることができる。
この発明によれば、制御手段による加熱や冷却の制御が実行される際に、ピンセットを操作する者は、熱さや冷たさを感じることなく快適に操作することができる。
【発明の効果】
【００１４】
本発明によれば、まつ毛エクステンション用の人工まつ毛をまつ毛に固定させるために用いられている収縮チューブを効率良く収縮させることができるピンセットを提供することができる。
【図面の簡単な説明】
【００１５】
【図１】本発明に係るピンセット装置の構成を示す図である。
【図２】まつ毛エクステンション用の人工まつ毛を装着者のまつ毛に装着させた状態を示す図である。
【図３】ピンセット装置を用いて人工まつ毛の収縮部を加熱する様子を示す図である。
【発明を実施するための形態】
【００１６】
本発明に係るピンセット装置について、図面を参照しつつ説明する。なお、本発明は下記の実施形態に限定されるものではない。
【００１７】
図１は、本発明の一実施形態であるピンセット装置１の構成を示す図である。（Ａ）はピンセット装置１の側面図である。（Ｂ）は加熱機能のみを有するピンセット装置１の平面図である。（Ｃ）は加熱機能と冷却機能とを有するピンセット装置１の平面図である。
図２は、まつ毛エクステンション用の人工まつ毛１００を装着者３００のまつ毛２００に装着させた状態を示す図である。なお、右側の破線で示された丸の中には、装着部分の拡大図が示されている。
【００１８】
本発明の一実施形態であるピンセット装置１は、装着者３００のまつ毛２００に、まつ毛エクステンション用の人工まつ毛１００を固定させる際に使用される装置である。
ここで、本発明に係るピンセット装置１を用いたまつ毛エクステンションで使用される人工まつ毛１００は、接着剤を用いることなくまつ毛２００に装着可能とする人工まつ毛である。具体的には、人工まつ毛１００は、中空部を有し、この中空部に１本のまつ毛２００の一部又は全部を挿入させた状態で収縮部１１１を径の方向に収縮する。これにより、人工まつ毛１００は、自身をまつ毛２００に固定させることができる。収縮部１１１には、熱収縮チューブが用いられているため、収縮部１１１が収縮することにより、まつ毛２００に人工まつ毛１００を固定することができる。
【００１９】
ピンセット装置１は、図１に示すように、本体部１１と、操作部１２と、遮断部１３と、挟持部１４とで構成される。ピンセット装置１は、装着者３００のまつ毛２００に人工まつ毛１００を装着した後、人工まつ毛１００の収縮部１１１を挟持して加熱する際に用いられる。加熱よって人工まつ毛１００の収縮部１１１が収縮するので、まつ毛２００に人工まつ毛１００を容易に固定することができる。なお、ピンセット装置１を用いて人工まつ毛１００の収縮部１１１を加熱する具体的態様については、図３を参照して後述する。
【００２０】
以下、ピンセット装置１の各構成要素を詳しく説明する。
【００２１】
（本体部）
本体部１１は、図１に示すように、スイッチ２１と、電力供給部２２と、制御部２３とを備える。
【００２２】
スイッチ２１は、後述する挟持部１４のうち少なくとも人工まつ毛１００に接触する部位を加熱又は冷却する場合に、ピンセット装置１を操作する者（主に装着者３００）によってスライド操作されるスイッチである。
【００２３】
図１（Ｂ）に例示するスイッチ２１は、「Ｏｎ」と「Ｏｆｆ」とを切り替えるためのスイッチであり、加熱機能のみを有するピンセット装置１の本体部１１に設けられる。図１（Ｂ）に示すように、スイッチ２１が「Ｏｎ」の状態になるようにスライド操作すると、挟持部１４のうち少なくとも人工まつ毛１００に接触する部位が加熱される。これに対して、スイッチ２１が「Ｏｆｆ」の状態になるようにスライド操作すると、挟持部１４のうち少なくとも人工まつ毛１００に接触する部位への加熱が停止される。
【００２４】
図１（Ｃ）に例示するスイッチ２１は、「Ｈｏｔ」と「Ｏｆｆ」と「Ｃｏｌｄ」とを切り替えるためのスイッチであり、加熱機能と冷却機能とを有するピンセット装置１の本体部１１に設けられる。図１（Ｃ）に示すように、スイッチ２１が「Ｈｏｔ」の状態になるようにスライド操作すると、挟持部１４のうち少なくとも人工まつ毛１００に接触する部位が加熱される。そして、スイッチ２１が「Ｈｏｔ」の状態から「Ｏｆｆ」の状態になるようにスライド操作すると、挟持部１４のうち少なくとも人工まつ毛１００に接触する部位への加熱が停止される。また、スイッチ２１が「Ｏｆｆ」の状態から「Ｃｏｌｄ」の状態になるようにスライド操作すると、挟持部１４のうち少なくとも人工まつ毛１００に接触する部位が冷却される。そして、スイッチ２１が「Ｃｏｌｄ」の状態から「Ｏｆｆ」の状態になるようにスライド操作すると、挟持部１４のうち少なくとも人工まつ毛１００に接触する部位への冷却が停止される。
【００２５】
電力供給部２２は、蓄電式のバッテリー等で構成され、後述する制御部２３に電力を供給する。これにより、制御部２３は、後述する挟持部１４のうち少なくとも人工まつ毛１００に接触する部位を加熱し又は冷却する際に必要となる電気エネルギーを得ることができる。
【００２６】
制御部２３は、後述する挟持部１４のうち、少なくとも人工まつ毛１００に接触する部位を加熱し又は冷却する制御を実行する。これにより、人工まつ毛１００をまつ毛に固定させるために用いられている熱収縮チューブを効率良く加熱して収縮させることができるとともに、冷却して直ちに固化させることができる。
制御部２３によって挟持部１４が加熱された場合、挟持部１４の温度は、人工まつ毛１００の収縮部１１１を収縮させることができる温度に上昇する。収縮部１１１が収縮する温度は、人工まつ毛１００の仕様によって異なるものであるため特に限定されない。例えば、収縮部１１１が６０℃〜１２０℃程度の温度で収縮する人工まつ毛１００をまつ毛２００に固定する場合には、挟持部１４が６０℃〜１２０℃程度に加熱できるようにすればよい。
【００２７】
ここで、制御部２３が挟持部１４を加熱し又は冷却する具体的手法は特に限定されない。例えばペルチェ素子を用いた加熱又は冷却によって挟持部１４の温度を制御してもよい。挟持部１４の温度制御手法としてペルチェ素子を用いた場合、電気抵抗の低減化と、熱伝導率の低減化とを両立させることが可能になるので、消費電力を抑えながら挟持部１４の温度を素早く制御することが可能になる。また、ペルチェ素子を用いた場合、１ｍｍ×１ｍｍ単位の微小な面積の温度制御が可能になる。このため、１ｍｍに満たない細い人工まつ毛１００の１本１本を挟持して加熱又は冷却する挟持部１４の温度制御にペルチェ素子を利用することは好適である。
【００２８】
図１に示す本体部１１の形状は例示であり特に限定されないが、まつ毛エクステンションはまつ毛１本１本に対する細かい作業であるため、例えば図１に示すように、装着者３００が片手で容易に把持できる形状とすることが好ましい。
【００２９】
（操作部）
操作部１２は、図１（ｂ）及び（ｃ）に示すように、２枚の操作体１２ａと操作体１２ｂとで構成されている。操作体１２ａ及び操作体１２ｂの長手方向の一方の端部は、いずれも本体部１１に接続されており、その反対側の端部は、後述する遮断部１３を介して挟持部１４に接続されている。
【００３０】
操作体１２ａ及び操作体１２ｂは、通常の状態では、互いに接触することなく、互いに対向する位置に配置されている。ここで、操作体１２ａと操作体１２ｂとが対向する面と反対側の面に対し外側からの圧力が加えられると（つまり、一般的なピンセットの操作と同様の操作が行われると）、操作体１２ａと操作体１２ｂとが互いに接近し合うとともに、後述する挟持部１４の挟持体１４ａと挟持体１４ｂとが接近する。これにより、挟持体１４ａと挟持体１４ｂとで人工まつ毛１００を挟持することが可能になる。
【００３１】
装着者３００は、例えば中指と薬指と小指とで本体部１１を把持した状態で、人差し指と親指とを使い、操作体１２ａと操作体１２ｂとの対向面の反対側の面に対し外側からの圧力を同時に加える。これにより、上述したように操作体１２ａと操作体１２ｂが接近させことで挟持体１４ａと挟持体１４ｂとを接近させて人工まつ毛１００を挟持する。つまり、操作部１２及び挟持部１４が、人工まつ毛１００を挟持するピンセットの機能を果たす。
【００３２】
なお、図１に示す操作部１２の形状は例示であり特に限定されないが、まつ毛エクステンションはまつ毛１本１本に対する細かい作業であるため、操作部１２を操作する回数は、少なくとも人工まつ毛１００の本数以上となる。このため、操作部１２の形状は、例えば図１に示す操作部１２のように、装着者３００が片手で何度操作したとしても疲労を感じ難い形状とすることが好ましい。
【００３３】
（遮断部）
遮断部１３は、図１（ｂ）及び（ｃ）に示すように、遮断体１３ａと断熱体１３ｂとで構成されている。遮断体１３ａ及び断熱体１３ｂの長手方向の一方の端部は、いずれも操作部１２に接続されており、その反対側の端部は、後述する挟持部１４に接続されている。遮断部１３は、挟持部１４の温度変化により生じる熱エネルギーが操作部１２に伝達されることを遮断する。これにより、制御部２３による加熱や冷却の制御が実行される際に、装着者３００等のピンセット装置１を操作する者は、熱さや冷たさを感じることなく快適に操作部１２に対する操作を行うことができる。
遮断部１３の材質は、挟持部１４の温度変化により生じる熱エネルギー等が操作部１２に伝達されることを遮断することができるものであれば特に限定されない。
【００３４】
（挟持部）
挟持部１４は、図１（ｂ）及び（ｃ）に示すように、挟持体１４ａと挟持体１４ｂとで構成されている。挟持部１４は、制御部２３の制御によって加熱され又は冷却される。挟持部１４は、遮断部１３を介して操作部１２に接続されており、操作体１２ａ及び操作体１２ｂの動作に合わせて動作する。すなわち、操作部１２への操作に合わせて挟持体１４ａと挟持体１４ｂとが互いに接近することで人工まつ毛１００を挟持する。挟持された人工まつ毛１００は、加熱された挟持部１４によって加熱され、また、冷却された挟持部１４によって冷却される。
【００３５】
次に、図３を参照して、ピンセット装置１を用いて人工まつ毛１００を加熱する具体的手法について説明する。
図３は、ピンセット装置１を用いて人工まつ毛１００の収縮部１１１を加熱する様子を示す図である。
【００３６】
まつ毛エクステンションでは、まず、中空部を有する人工まつ毛１００にまつ毛２００を挿入することでまつ毛２００に人工まつ毛１００を装着させる。なお、当然ながらこの状態では人工まつ毛１００がまつ毛２００に固定されていないため直ぐに外れてしまう。そこで、装着者３００は、ピンセット装置１を用いて、人工まつ毛１００の収縮部１１１を加熱して収縮させる。これにより、人工まつ毛１００がまつ毛２００に固定される。
具体的には、装着者３００は、ピンセット装置１のスイッチ２１をスライド操作して、「Ｏｎ」又は「Ｈｏｔ」の状態にする。これにより、ピンセット装置１の挟持部１４が加熱されるので、装着者３００は、加熱されて温度が上昇した状態にある挟持部１４で、図３に示すように人工まつ毛１００の収縮部１１１を挟持する。これにより、収縮部１１１が収縮するので、人工まつ毛１００がまつ毛２００に固定される。また、図１（Ｃ）のように冷却機能を有するピンセット装置１の場合には、スイッチ２１をスライド操作して、「Ｃｏｌｄ」の状態にする。これにより、加熱されて収縮した収縮部１１１を直ちに冷却して固化させることができるので、例えば慌ただしい朝などであっても、まつ毛エクステンションを容易に行うことができる。
【００３７】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００３８】
例えば、上述の実施形態では、人工まつ毛１００の収縮部１１１は、熱エネルギーを加えることで収縮する素材で構成されているが、これに限られない。例えば、冷熱エネルギーによって収縮する素材や、超音波による振動エネルギーによって収縮する素材等、外からの何らかのアクションによって収縮するあらゆる素材で構成させることができる。
【００３９】
以上まとめると、本発明が適用されるピンセット装置は、次のような構成を取れば足り、各種各様な実施形態を取ることができる。
すなわち、本発明が適用されるピンセット装置（例えば図１のピンセット装置１）は、
まつ毛（例えば図２のまつ毛２００）の長さを延長させるまつ毛エクステンションに用いられる人工まつ毛（例えば図２の人工まつ毛１００）に所定のエネルギー（例えば熱エネルギー）を加えて収縮させるピンセット装置であって、
前記人工まつ毛を１本毎に挟持可能とする挟持手段（例えば図１の挟持部１４）と、
前記挟持手段のうち、少なくとも前記人工まつ毛に接触する部位に前記所定のエネルギーを加える制御を実行する制御手段（例えば図１の制御部２３）と、
を備える。
【００４０】
この発明によれば、まつ毛エクステンション用の人工まつ毛１００をまつ毛２００に固定させるために用いられている収縮チューブ（例えば図２の収縮部１１１）を効率良く収縮させることができる。
【００４１】
また、前記所定のエネルギーは、熱エネルギーであり、
前記制御手段は、少なくとも前記人工まつ毛に接触する部分を加熱する制御を実行することができる。
この発明によれば、まつ毛エクステンション用の人工まつ毛をまつ毛に固定させるために用いられている熱収縮チューブを効率良く加熱して収縮させることができる。
【００４２】
前記制御手段は、さらに、少なくとも前記人工まつ毛に接触する部分を冷却する制御を実行することができる。
この発明によれば、加熱されて収縮した状態にある人工まつ毛を直ちに冷却して固化させることができるので、効率良く人工まつ毛をまつ毛に固定させることができる。
【００４３】
また、前記挟持手段の温度変化により生じるエネルギーの伝導を遮断する遮断手段（例えば図１の遮断部１３）をさらに備えることができる。
この発明によれば、制御手段による加熱や冷却の制御が実行される際に、ピンセットを操作する者は、熱さや冷たさを感じることなく快適に操作することができる。
【符号の説明】
【００４４】
１・・・  ピンセット装置
１１・・・  本体部
１２・・・  操作部
１２ａ，１２ｂ・・・  操作体
１３・・・  遮断部
１３ａ，１３ｂ・・・  遮断体
１４・・・  挟持部
１４ａ，１４ｂ・・・  挟持体
２１・・・  スイッチ
２２・・・  電力供給部
２３・・・  制御部
１００・・・  人工まつ毛
１１１・・・  収縮部
２００・・・  まつ毛
３００・・・  装着者
【図１】
2020036692.tif 000003
【図２】
2020036692.tif 000004
【図３】
2020036692.tif 000005